(57)【要約】  本発明は、塩化水素液体混合物から不純物を分離および処理するための方法および装置に関し、詳細には、ホスゲン化によりイソシアネートを調製するためのプロセスから製造された塩化水素液体混合物から不純物を分離および処理するための方法およびシステムに関する。前記方法は、前記塩化水素液体混合物を分離のために気液分離カラムに送り、前記気液分離カラムの底部で、塩化アンモニウムを含む不純物を含む液相流を生成する工程；不純物を含む液相流を気液分離カラムの底部から液相流管路を通じて中和タンクに流入させ、中和タンク中で、不純物を含む液相流をアルカリ液で中和して中和液を生成する工程；ならびに中和液を処理のために前記中和タンクから廃液処理装置に送る工程を含む。本発明により提供される方法およびシステムは、不純物堆積物による液体流管路、バルブ、および気液分離カラムの閉塞の問題を解決し、メンテナンスのための運転停止頻度を低減する。【選択図】図４
2019524617.tif 000002
【特許請求の範囲】
【請求項１】
塩化水素液体混合物から不純物を分離および処理する方法であって、
前記塩化水素液体混合物を分離のために気液分離カラムに送り、前記気液分離カラムの底部で、塩化アンモニウムを含む不純物を含む液相流を生成する工程；
不純物を含む前記液相流を前記気液分離カラムの底部から液相流管路Ｌ１を通じて中和タンクに流入させ、前記中和タンク中で、不純物を含む前記液相流をアルカリ液で中和して中和液を生成する工程；ならびに
前記中和液を処理のために前記中和タンクから廃液処理装置に送る工程
を含む、方法。
【請求項２】
前記中和タンクが、前記気液分離カラムの下方に配置され、前記中和タンクの圧力が、前記気液分離カラム中の圧力以下である、請求項１に記載の方法。
【請求項３】
前記気液分離カラムと前記中和タンクとの間にバッファタンクをさらに配置することによって、不純物を含む前記液相流が、前記気液分離カラムの底部から前記液相流管路Ｌ１を通って、前記バッファタンクに順次流入し、次いで、前記バッファタンクから液相流管路Ｌ２を通って前記中和タンクに流入する、請求項１に記載の方法。
【請求項４】
前記バッファタンクが、前記気液分離カラムの下方に配置され、前記中和タンクが、前記バッファタンクの下方に配置され、前記バッファタンク中の圧力が、前記気液分離カラム中の圧力以下であり、前記中和タンク中の圧力が、前記バッファタンク中の圧力以下である、請求項３に記載の方法。
【請求項５】
前記バッファタンク中で緩衝された不純物を含む前記液相流の容量が、前記バッファタンクの容量の９０％を超えない、請求項３または４に記載の方法。
【請求項６】
不純物を含む前記液相流が前記液相流管路を通って流れた後、前記液相流管路が、不活性ガスでパージされる、請求項１〜４に記載の方法。
【請求項７】
前記中和液のｐＨ値が８以上である、請求項１〜４に記載の方法。
【請求項８】
前記アルカリ液が、アルカリ金属水酸化物、アルカリ土類金属水酸化物からなる群のうちの１つ以上から選択される、請求項１〜４に記載の方法。
【請求項９】
前記方法が連続操作またはバッチ操作である、請求項１〜４に記載の方法。
【請求項１０】
前記方法が、ホスゲン化によりイソシアネートを調製するためのプロセスから前記塩化水素液体混合物を得る工程をさらに含む、請求項１〜４に記載の方法。
【請求項１１】
塩化水素液体混合物から不純物を分離および処理するためのシステムであって、
前記塩化水素液体混合物を受け取りおよび分離して、塩化アンモニウムを含む不純物を含む液相流を生成するための気液分離カラム；
不純物を含む前記液相流を受け取るための中和タンクであって、不純物を含む前記液相流が、前記気液分離カラムの底部から液相流管路Ｌ１を通って前記中和タンクに流入し、不純物を含む前記液相流を前記中和タンク中のアルカリ液で中和して中和液を生成する、中和タンク；ならびに
前記中和タンクからの前記中和液を受け取りおよび処理するための廃液処理装置
を備える、システム。
【請求項１２】
前記中和タンクが、前記気液分離カラムの下方に配置され、前記中和タンクの圧力が、前記気液分離カラム中の圧力以下である、請求項１１に記載のシステム。
【請求項１３】
前記気液分離カラムと前記中和タンクとの間に、不純物を含む前記液相流を緩衝するためのバッファタンクがさらに配置され、不純物を含む前記液相流が、前記気液分離カラムから前記中和タンクに流入し、不純物を含む前記液相流が、前記気液分離カラムの底部から前記液相流管路Ｌ１を通って、前記バッファタンクに順次流入し、次いで、前記バッファタンクから液相流管路Ｌ２を通って前記中和タンクに流入する、請求項１１に記載のシステム。
【請求項１４】
前記バッファタンクが、前記気液分離カラムの下方に配置され、前記中和タンクが、前記バッファタンクの下方に配置され、前記バッファタンク中の圧力が、前記気液分離カラム中の圧力以下であり、前記中和タンク中の圧力が、前記バッファタンク中の圧力以下である、請求項１３に記載のシステム。
【請求項１５】
不純物を含む前記液相流が前記液相流管路を通って流れた後に、前記液相流管路を不活性ガスでパージするための不活性ガスパージ装置をさらに備える、請求項１１〜１４に記載のシステム。
【請求項１６】
ホスゲン化によりイソシアネートを調製する方法であって、
ホスゲン化反応プロセスからイソシアネート生成物および塩化水素を含むガス混合物を得る工程；
塩化水素を含む前記ガス混合物を処理して塩化水素液体混合物を生成する工程；ならびに
請求項１〜１０のいずれか一項に記載の方法に従って前記塩化水素液体混合物を分離および処理する工程
を含む、方法。
【請求項１７】
ホスゲン化によりイソシアネートを調製するためのシステムであって、
ホスゲン化反応を行ってイソシアネート生成物および塩化水素を含むガス混合物を生成するためのホスゲン化反応ユニット；
塩化水素を含む前記ガス混合物を処理して塩化水素液体混合物を生成するための塩化水素含有ガス混合物処理ユニット；ならびに
請求項１１〜１５のいずれか一項に記載のシステムに従って前記塩化水素液体混合物を分離および処理するための塩化水素液体混合物分離および処理ユニット
を備える、システム。
【発明の詳細な説明】
【技術分野】
【０００１】
本発明は、塩化水素液体混合物から不純物を分離および処理するための方法および装置に関し、詳細には、ホスゲン化によりイソシアネートを調製するためのプロセスから製造された塩化水素液体混合物から不純物を分離および処理する方法およびシステムに関する。
【背景技術】
【０００２】
ホスゲン化によりイソシアネートを調製するためのプロセスは、塩化水素を含むガス混合物を製造する。塩化水素を含有するこれらのガス混合物は、通常、さらなる部分液化、例えば塩化水素ガスおよび塩化水素液体混合物を生成するための精留カラム部分液化処理を必要とする。塩化水素ガスは、再利用のためにホスゲン化反応ユニットに戻り、塩化水素液体混合物は、処理され焼却に送られる。
【０００３】
塩化水素液体混合物を処理するためのプロセスは、一般に、不純物を含む塩化水素液体混合物を気液分離カラムに送ること、塩化水素ガスを含む気相流および不純物を含む液相流を生成するために蒸発および分離すること、ならびに不純物を含む液相流を焼却のための焼却炉に送ることを含む。不純物を分離および処理するこの方法では、閉塞は、気液分離カラム、液相流管路、およびバルブの出口でしばしば起こり、これは、結果としてメンテナンスのための塩化水素液体混合物分離および処理ユニットの頻繁な運転停止をもたらし、それによって、ホスゲン化によりイソシアネートを調製するためのシステムの頻繁な運転停止をもたらす。
【０００４】
塩化水素液体混合物から不純物を分離および処理するプロセスにおいて、液体流管路、バルブ、および気液分離カラムの閉塞を引き起こす原因を突き止め、頻繁な運転停止を必要としない方法を得るための解決策を提供することが業界において緊急に必要とされている。
【発明の概要】
【０００５】
本発明の目的のうちの１つは、塩化水素液体混合物から不純物を分離および処理する方法を提供することである。
【０００６】
本発明の別の目的は、塩化水素液体混合物から不純物を分離および処理するためのシステムを提供することである。
【０００７】
本発明のさらなる目的は、ホスゲン化によりイソシアネートを調製するためのプロセスを提供することである。
【０００８】
本発明の別の目的は、ホスゲン化によりイソシアネートを調製するためのシステムを提供することである。
【０００９】
本発明は、ホスゲン化によりイソシアネートを調製するためのプロセスによって製造された塩化水素液体混合物が塩化アンモニウム不純物を含むことを発見した。塩化アンモニウム不純物は、気液分離カラム、液相流管路、およびバルブの出口に常に堆積し、閉塞を引き起こす。メンテナンスのために塩化水素液体混合物分離および処理ユニットを運転停止することがしばしば必要とされ、結果としてホスゲン化によるイソシアネートを調製するためのシステムの頻繁な運転停止をもたらす。
【００１０】
本発明は、メンテナンスのために頻繁な運転停止を必要とせず、不純物の堆積による液相流管路、バルブ、および気液分離カラムの閉塞の問題を解決し、塩化水素液体混合物分離および処理ユニットのメンテナンスのための運転停止頻度を低減する、塩化水素液体混合物から不純物を分離および処理するための方法およびシステムを提供する。
【００１１】
「流入する」という用語は、一般に、重力以外の外力が加えられず、液相流管路が曲がっていない場合に、不純物を含む液相流がより高い位置からより低い位置へ排出されると理解するべきである。液相流管路は、液相流管路、バルブ、および気液分離カラム中の不純物を含む液相流の堆積を低減するためにできるだけ垂直であることが好ましい。
【００１２】
「下方に」という用語は一般に、真下または斜め下と理解するべきである。
【００１３】
本発明は、塩化水素液体混合物から不純物を分離および処理する方法であって、
前記塩化水素液体混合物を分離のために気液分離カラムに送り、前記気液分離カラムの底部で、塩化アンモニウムを含む不純物を含む液相流を生成する工程；
不純物を含む前記液相流を前記気液分離カラムの底部から液相流管路Ｌ１を通じて中和タンクに流入させ、前記中和タンク中で、不純物を含む前記液相流をアルカリ液で中和して中和液を生成する工程；ならびに
中和液を処理のために前記中和タンクから廃液処理装置に送る工程
を含む、方法を開示する。
【００１４】
前記中和タンクは、前記気液分離カラムの下方に配置され、前記中和タンク中の圧力は、前記気液分離カラム中の圧力以下であることが好ましく、前記気液分離カラム中の圧力未満であることがより好ましい。前記中和タンク中の圧力は、好ましくは大気圧である。
【００１５】
前記気液分離カラムと前記中和タンクとの間にバッファタンクをさらに配置してもよい。前記バッファタンクの一端は、気液分離カラムの底部に接続され、バッファタンクの他端は、中和タンクに接続されることにより、不純物を含む液相流は、前記気液分離カラムの底部から前記液相流管路Ｌ１を通って前記バッファタンクに順次流入し、次いで、前記バッファタンクから液相流管路Ｌ２を通って中和タンクに流入する。
【００１６】
前記気液分離カラムと中和タンクとの間にバッファタンクをさらに配置する場合、前記バッファタンクを気液分離カラムの下方に配置することが好ましい。前記バッファタンク中の圧力は、気液分離カラム中の圧力以下であることが好ましく、前記中和タンク中の圧力は、前記バッファタンク中の圧力以下であることが好ましく；前記中和タンク中の圧力は、前記気液分離カラム中の圧力未満であることがさらに好ましく、大気圧がより好ましい。
【００１７】
前記バッファタンク中で緩衝された不純物を含む前記液相流の容量は、前記バッファタンクの容量の９０％を超えないことが好ましい。
【００１８】
不純物を含む前記液相流が前記液相流管路Ｌ１および／または液相流管路Ｌ２を通って流れた後、液相流管路は、さらに不活性ガスでパージされる。
【００１９】
前記不活性ガスは、好ましくは窒素である。
【００２０】
前記中和液のｐＨ値は、好ましくは８以上、より好ましくは１０以上である。
【００２１】
前記アルカリ液は、アルカリ金属水酸化物、アルカリ土類金属水酸化物からなる群のうちの１つ以上、好ましくは水酸化ナトリウム、水酸化カリウムからなる群のうちの１つ以上から選択される。
【００２２】
前記アルカリ液は、不純物を含む前記液相流が中和タンクに流入する前に予め中和タンクに入れられてもよく、またはさらに不純物を含む前記液相流が中和タンクに流入する間もしくは後に中和タンクに添加されてもよい。前記アルカリ液は、不純物を含む前記液相流が中和タンクに流入する前に予め中和タンクに入れられていることが好ましく、前記中和タンクに入れられたアルカリ液の容量は、前記中和タンクの容量の１０％以下であることが好ましい。
【００２３】
前記アルカリ液の濃度は、中和反応により得られた中和液が結晶析出を起こさないような濃度であることが好ましい。
【００２４】
塩化水素液体混合物は、塩化水素、塩化アンモニウム、ホスゲン、およびクロロベンゼン化合物を含み得る。好ましくは、前記塩化水素液体混合物は、ホスゲン化によりイソシアネートを調製するためのプロセスから得られた塩化水素を含むガス混合物を処理することによって得られる。
【００２５】
塩化水素ガスを含む気相流は、前記気液分離カラムの頂部で得られ得る。塩化水素ガスを含む前記気相流は、塩化水素ガスおよびホスゲンを含む。塩化水素ガスは、水またはアルカリ液に吸収され、ホスゲンは、分解除去される。
【００２６】
前記廃液処理装置は、廃液焼却炉であってもよい。
【００２７】
前記方法は、連続操作またはバッチ操作である。
【００２８】
前記中和反応の開始温度は、０〜８０℃、好ましくは室温、さらに好ましくは中和反応により放出された反応熱をできるだけ中和液によって吸収することができる温度である。
【００２９】
前記方法は、ホスゲン化によりイソシアネートを調製するためのプロセスから前記塩化水素液体混合物を得る工程をさらに含み得る。
【００３０】
本発明はまた、塩化水素液体混合物から不純物を分離および処理するためのシステムであって、
前記塩化水素液体混合物を受け取りおよび分離して、塩化アンモニウムを含む不純物を含む液相流を生成するための気液分離カラム；
不純物を含む前記液相流を受け取るための中和タンクであって、不純物を含む前記液相流が、前記気液分離カラムの底部から液相流管路Ｌ１を通って前記中和タンクに流入し、不純物を含む前記液相流を前記中和タンク中のアルカリ液で中和して中和液を生成する、中和タンク；ならびに
前記中和タンクからの前記中和液を受け取りおよび処理するための廃液処理装置
を備える、システムを開示する。
【００３１】
前記中和タンクは、前記気液分離カラムの下方に配置されている。前記中和タンク中の圧力は、気液分離カラム中の圧力以下であることが好ましく、気液分離カラム中の圧力未満であることがより好ましく、大気圧が最も好ましい。
【００３２】
不活性ガスパージ装置および排気排出装置も、不純物を含む前記液相流が前記液相流管路Ｌ１を通って流れた後に前記液相流管路Ｌ１を不活性ガスでパージするために前記液相流管路Ｌ１上に配置され得る。
【００３３】
前記気液分離カラムと前記中和タンクとの間には、不純物を含む前記液相流を緩衝するためのバッファタンクをさらに配置することができ、不純物を含む前記液相流が、前記気液分離カラムから前記中和タンクに流入し、不純物を含む前記液相流が、前記気液分離カラムの底部から前記液相流管路Ｌ１を通って前記バッファタンクに順次流入し、次いで、バッファタンクから液相流管路Ｌ２を通って中和タンクに流入する。
【００３４】
前記システムがバッファタンクをさらに備える場合、前記バッファタンクは、前記気液分離カラムの下方に配置され、前記中和タンクは、前記バッファタンクの下方に配置される。前記バッファタンク中の圧力は、前記気液分離カラム中の圧力以下であることが好ましく、前記中和タンク中の圧力は、前記バッファタンク中の圧力以下であることが好ましく；前記中和タンク中の圧力は、前記気液分離カラム中の圧力未満であることがさらに好ましく、大気圧がより好ましい。
【００３５】
不活性ガスパージ装置および排気排出装置も、不純物を含む前記液相流が前記液相流管路Ｌ２を通って流れた後に前記液相流管路Ｌ２を不活性ガスでパージするために前記液相流管路Ｌ２上に配置され得る。
【００３６】
前記不活性ガスは、好ましくは窒素である。
【００３７】
前記バッファタンクには、前記バッファタンク中で緩衝された不純物を含む液相流の容量が、確実に前記バッファタンクの容量の９０％を超えないようにするための液面制御装置が設けられている。前記液面制御装置は、業界で一般的に使用されている液面制御装置であり得る。
【００３８】
前記アルカリ液は、不純物を含む前記液相流が中和タンクに流入する前に予め中和タンクに入れられてもよく、または不純物を含む前記液相流が中和タンクに流入する間もしくは後に中和タンクに添加されてもよい。前記アルカリ液は、不純物を含む前記液相流が中和タンクに流入する前に予め中和タンクに入れられていることが好ましく、前記中和タンク中に入れられたアルカリ液は、前記中和タンクの容量の１０％を超えない容量を有することが好ましい。
【００３９】
前記中和タンクは、アルカリ液を中和タンク内部で循環させ続けるために液体循環ポンプを備えていてもよい。
【００４０】
前記中和タンクは、中和反応によって発生した熱を除去するための冷却器を備えていてもよい。
【００４１】
塩化水素ガスを含む気相流は、前記気液分離カラムの頂部で得ることができる。
【００４２】
本発明のシステムは、塩化水素吸収カラム、ホスゲン分解器、および中央熱酸化装置をさらに備える。塩化水素吸収カラムは、気液分離カラムの頂部から得られる塩化水素ガスを含む気相流中の塩化水素ガスを吸収するために使用される。ホスゲン分解器および中央熱酸化装置は、塩化水素ガスを含む気相流中のホスゲンを分解するために使用される。
【００４３】
廃液処理装置は、廃液焼却炉であってもよい。
【００４４】
本発明は、ホスゲン化によりイソシアネートを調製する方法であって、
ホスゲン化反応プロセスからイソシアネート生成物および塩化水素を含むガス混合物を得る工程；
塩化水素を含む前記ガス混合物を処理して塩化水素液体混合物を生成する工程；ならびに
本発明に開示されているように、塩化水素液体混合物から不純物を分離および処理する方法に従って、前記塩化水素液体混合物を分離および処理する工程
を含む、方法をさらに開示する。
【００４５】
塩化水素を含むガス混合物を処理して塩化水素液体混合物を生成する方法は、部分液化または業界において周知の他の方法であり得る。
【００４６】
前記気液分離カラム中の圧力は、好ましくは５〜２５バールゲージ圧、最も好ましくは７〜１５バールゲージ圧であり；温度は、好ましくは０〜１５０℃、より好ましくは１５〜１００℃、最も好ましくは１５〜８０℃である。
【００４７】
前記バッファタンク中の圧力は、好ましくは０〜１０バールゲージ圧、最も好ましくは０〜５バールゲージ圧である。
【００４８】
本発明は、ホスゲン化によりイソシアネートを調製するためのシステムであって、
ホスゲン化反応を行ってイソシアネート生成物および塩化水素を含むガス混合物を生成するためのホスゲン化反応ユニット；
塩化水素を含有する前記ガス混合物を処理して塩化水素液体混合物を生成するための塩化水素含有ガス混合物処理ユニット；ならびに
本発明に開示されるように塩化水素液体混合物から不純物を分離および処理するためのシステムに従って、前記塩化水素液体混合物を分離および処理するための塩化水素液体混合物分離および処理ユニット
を備える、システムをさらに開示する。
【００４９】
前記塩化水素含有ガス混合物処理ユニットの処理方法は、部分液化、または業界において周知の他の方法であり得る。
【００５０】
本発明は、不純物を含む液相流をアルカリ液と中和反応させることによって、以下の利点を有し、不純物、特にその中の塩化アンモニウムが液相流管路、バルブ、および気液分離カラム中に堆積して閉塞するのを防止する。本発明はまた、装置間の相対位置を調整することによって液相流の円滑な流れを実現し、堆積を低減する。さらに、本発明は、不活性ガスパージ装置を気液分離カラム、バッファタンク、および中和タンクの間の液相流管路上に配置して、液相流管路から不純物を含む液相流をパージし除去することによって、不純物が液相流管路およびバルブ中に堆積および閉塞するのを防止し、ホスゲン化によりイソシアネートを調製するためのシステムをメンテナンスするための運転停止頻度を低減する。
【００５１】
本発明の図面および実施例は、限定的ではなく例示的である。
【図面の簡単な説明】
【００５２】
【図１】本発明の一実施例による塩化水素液体混合物から不純物を分離および処理する方法の例示的なフローチャートである。
【図２】本発明の一実施例による塩化水素液体混合物から不純物を分離および処理する方法の例示的なフローチャートである。
【図３】本発明の一比較例による塩化水素液体混合物から不純物を分離および処理する方法の例示的なフローチャートである。
【図４】本発明の一実施例による塩化水素液体混合物から不純物を分離および処理するためのシステムの例示的な図である。
【図５】本発明の一実施例によるホスゲン化によりイソシアネートを調製するためのシステムの例示的な図である。
【発明を実施するための形態】
【００５３】
以下の図面および実施形態を用いて本発明をさらに詳細に説明する。
【００５４】
本発明は、塩化水素液体混合物から不純物を分離および処理するための方法およびシステムを開示する。
【００５５】
本発明に記載されるような塩化水素液体混合物から不純物を分離および処理する方法に関して、不純物を含む塩化水素液体混合物は、ホスゲン化によりイソシアネートを調製するためのシステムから生じてもよく、また塩化アンモニウム不純物を含む塩化水素液体混合物を製造することができる他のシステムから生じてもよい。
【００５６】
図１は、本発明の一実施例による塩化水素液体混合物から不純物を分離および処理する方法の例示的なフローチャートである。ステップＳ１１０において、塩化水素液体混合物は、分離のために気液分離カラムに入り、不純物を含む液相流を生成する。ステップＳ１２０において、不純物を含む液相流は、気液分離カラムの底部から液相流管路Ｌ１を通って中和タンクに流入し、中和タンク中のアルカリ液と中和反応して中和液を生成する。ステップＳ１３０において、中和液は、中和タンクから廃液処理装置に入り処理される。
【００５７】
図２は、本発明の一実施例による塩化水素液体混合物から不純物を分離および処理する方法の例示的なフローチャートである。ステップＳ１１０において、塩化水素液体混合物は、分離のために気液分離カラムに入り、不純物を含む液相流を生成する。ステップＳ１１５において、不純物を含む液相流は、気液分離カラムの底部から液相流管路Ｌ１を通ってバッファタンクに流入する。ステップＳ１２５において、不純物を含む液相流は、バッファタンクから液相流管路Ｌ２を通って中和タンクに流入し、中和タンクに入れられたアルカリ液と中和反応して中和液を生成する。ステップＳ１３０において、中和液は、中和タンクから廃液処理装置に入り処理される。
【００５８】
図３は、本発明の一比較例による塩化水素液体混合物から不純物を分離および処理する方法の例示的なフローチャートである。ステップＳ２１０において、塩化水素液体混合物は、分離のために気液分離カラムに入り、不純物を含む液相流を生成する。ステップＳ２２０において、不純物を含む液相流は、焼却のために廃液焼却装置に入る。
【００５９】
図４は、本発明の一実施例による塩化水素液体から不純物を分離および処理するためのシステムの例示的な図である。気液分離カラム１０は、気液分離カラム１０から中和タンク３０に液相流を流入させる、上部排出バルブ２１および下部排出バルブ２２を備えた液相流管路Ｌ１を通じて中和タンク３０に接続されている。液相流管路Ｌ１は、窒素パージバルブ２３および排気排出バルブ２４をさらに備えており、不純物を含む液相流が液相流管路Ｌ１を通って流れた後、液相流管路Ｌ１中に残留する不純物を含む液相流をパージして除去するために使用される。中和タンク３０は、アルカリ液を添加するためのアルカリ液供給バルブを備えている。中和タンク３０は、中和タンク３０中の中和液を廃液処理装置に入れて処理させるための排液バルブ３２をさらに備えている。
【００６０】
図５は、本発明の一実施例によるホスゲン化によりイソシアネートを調製するためのシステムの例示的な図である。ホスゲン化反応プロセスによって得られた塩化水素を含むガス混合物は、塩化水素精留カラム５０に入る。塩化水素精留カラム５０は、気液分離カラム１０と接続されている。気液分離カラム１０は、液相流管路Ｌ１を通じてバッファタンク２０と縦方向に接続されている。気液分離カラム１０は、気液分離カラム１０の圧力を制御するための圧力制御バルブ１１を備えている。液相流管路Ｌ１は、気液分離カラム１０からバッファタンク２０へ液相流を流入させる排出バルブ１３を備えている。バッファタンク２０は、気液分離カラム１０とバッファタンク２０との圧力をバランスのとれた状態で保持するための圧力バランスバルブ１２を備えている。バッファタンク２０は、バッファタンク２０を減圧するための圧力リリーフバルブ１４を備えている。バッファタンク２０は、液相流管路Ｌ２を通じて中和タンク３０と長手方向に接続されている。液相流配管Ｌ２は、バッファタンク２０から中和タンク３０へ液相流を流入させる上部排出バルブ２１および下部排出バルブ２２を備えている。液相流管路Ｌ２は、不純物を含む液相流が液相流管路Ｌ２を通って流れた後、液相流管路Ｌ２中に残留する不純物を含む液相流をパージして除去するために使用される、窒素パージバルブ２３および排気排出バルブ２４をさらに備えている。中和タンク３０は、アルカリ液を添加するためのアルカリ液供給バルブを備えている。中和タンク３０は、中和タンク３０中の中和液を廃液処理装置に入れて処理させるための排液バルブ３２をさらに備えている。
【００６１】
本発明に記載の気液分離カラム、バッファタンク、中和タンク、および廃液処理装置は、業界で一般的なものであり得、市場で入手可能である。
【００６２】
［実施例］
本発明をさらに説明するために、以下の実施例を提供する。
【００６３】
［実施例１］
図１に示すプロセスによれば、大気圧の塩化水素液体混合物が気液分離カラム１０に入った。気液分離カラム１０中の塩化水素液体混合物を５０℃に加熱し、不純物を含む液相流を得た。不純物を含む液相流は、垂直液相流管路Ｌ１を通って２０ｇ／Ｌ以上の濃度を有する水酸化ナトリウム溶液を含有する中和タンク３０に流入した。中和タンク３０において、不純物を含む液相流を水酸化ナトリウム溶液と中和反応させて中和液を得た。中和液のｐＨが１０以上の値で安定したところで、排液バルブ３２を開き、中和液を焼却炉に入れて焼却した。装置が半年間作動した後、気液分離カラム１０、液相流管路、およびバルブに明らかな堆積は観察されなかった。
【００６４】
［実施例２］
図４によれば、１５バールのゲージ圧で塩化水素液体混合物が気液分離カラム１０に入った。気液分離カラム１０中の塩化水素液体混合物を８０℃に加熱して、塩化水素液体混合物を分離し、塩化水素ガスを含む気相流および不純物を含む液相流を得た。上部排出バルブ２１および下部排出バルブ２２を開いて、不純物を含む液相流を垂直液相流管路Ｌ１を通じて中和タンク３０に流入させた。上部排出バルブ２１を閉じ、窒素パージバルブ２３を開いて液相流管路Ｌ１を通して窒素を流し、液相流管路に残留した不純物を含む液相流をパージし除去した。次いで、下部排出バルブ２２を閉じて排気排出バルブ２４を開けた後、窒素パージバルブ２３および排気排出バルブ２４を閉じた。アルカリ液供給バルブ３１を開き、濃度２０ｇ／Ｌ以上の水酸化ナトリウム溶液を中和タンク３０に導入した。中和タンク３０において、不純物を含む液相流を水酸化ナトリウム溶液と中和反応させて中和液を得た。中和液のｐＨが８以上の値で安定した後、排液バルブ３２を開き、中和液を焼却炉に入れて焼却した。装置が半年間作動した後、気液分離カラム１０、液相流管路、およびバルブに明らかな堆積は観察されなかった。
【００６５】
［実施例３］
図５によれば、１５バールのゲージ圧で塩化水素液体混合物が気液分離カラム１０に入った。気液分離カラム１０中の塩化水素液体混合物を８０℃に加熱し、分離して、不純物を含む液相流を得た。不純物を含む液相流は、気液分離カラム１０の底部に蓄積した。気液分離カラム１０の液面が３０％に到達したところで、圧力バランスバルブ１２を開き、気液分離カラム１０とバッファタンク２０との圧力を釣り合わせた。排出バルブ１３を開いて、不純物を含む液相流を垂直液相流管路Ｌ１を通じてバッファタンク２０に流入させた。圧力バランスバルブ１２および排出バルブ１３を閉じた。バッファタンク２０の圧力を３．５ｂａｒｇまでゆっくりと減圧するために圧力リリーフバルブ１４を開き、次いで圧力リリーフバルブ１４を閉じた。アルカリ液供給バルブ３１を開き、濃度２０ｇ／Ｌ以上の水酸化ナトリウム溶液を中和タンク３０に導入した。下部排出バルブ２２および上部排出バルブ２１を開いて不純物を含む液相流を垂直液相流管路Ｌ２を通じて中和タンク３０に流入させ、中和タンク３０中の水酸化ナトリウム溶液と中和反応させて中和液を得た。中和液のｐＨが８以上の値で安定した後、排液バルブ３２を開き、中和液を焼却炉に入れて焼却した。装置が半年間作動した後、気液分離カラム１０、液相流管路、およびバルブに明らかな堆積は観察されなかった。
【００６６】
［実施例４］
図５によれば、ホスゲン化プロセスによって、イソシアネート生成物および不純物を含む塩化水素ガス混合物を得た。塩化水素を含むガス混合物が塩化水素精留カラム５０に入り、塩化水素液体混合物を得た。塩化水素精留カラム５０からの−１０℃の温度および１８ｂａｒｇの圧力を有する塩化水素液体混合物の圧力を圧力制御バルブ１１によって１５ｂａｒｇに減圧した。塩化水素液体混合物は、気液分離カラム１０に入った。気液分離カラム１０中の塩化水素液体混合物を８０℃に加熱して、塩化水素液体混合物を塩化水素ガスを含む気相流と不純物を含む液相流とに分離した。不純物を含む液相流は、気液分離カラム１０の底部に蓄積した。気液分離カラム１０の液面が６０％に到達したところで、圧力バランスバルブ１２を開き、気液分離カラム１０とバッファタンク２０との圧力を釣り合わせた。排出バルブ１３を開き、気液分離カラム１０から不純物を含む液相流を縦型液相流管路Ｌ１を通じてバッファタンク２０に流入させた。圧力バランスバルブ１２および排出バルブ１３を閉じた。バッファタンク２０の圧力を３．５ｂａｒｇまでゆっくりと減圧するために圧力リリーフバルブ１４を開き、次いで圧力リリーフバルブ１４を閉じた。アルカリ液供給バルブ３１を開き、濃度２０ｇ／Ｌ以上の水酸化ナトリウム溶液を中和タンク３０に導入した。次いで、下部排出バルブ２２および上部排出バルブ２１を開いて、バッファタンク２０から不純物を含む液相流を垂直液相流管路Ｌ２を通じて中和タンク３０に流入させた。上部排出バルブ２１を閉じ、窒素パージバルブ２３を開いて窒素ガスを液相流管路Ｌ２に通過させ、液相流管路Ｌ２に残留した不純物を含む液相流をパージし除去した。次いで、下部排出バルブ２２を閉じて排気排出バルブ２４を開けた後、窒素パージバルブ２３および排気排出バルブ２４を閉じた。中和タンク３０において、不純物を含む液相流を水酸化ナトリウム溶液と中和反応させて中和液を得た。中和液のｐＨが８以上の値で安定した後、排液バルブ３２を開き、中和液を焼却炉に入れて焼却した。塩化水素ガスを含む気相流は、塩化水素吸収カラムによって精製され、次いで使用のためにホスゲン化反応器に再循環された。装置が半年間作動した後、気液分離カラム１０、液相流管路、およびバルブに明らかな堆積は観察されなかった。
【００６７】
本発明の上記の実施例の塩化水素液体混合物から不純物を分離および処理するためのシステムによれば、液相流管路、バルブ、および気液分離カラムは、あまり不純物堆積を含有せず、メンテナンスのための運転停止頻度を低減する。
【００６８】
本発明は、上記のように比較的良好な実施例を開示したが、それらは、本発明を限定するために使用されるものではない。この技術における当業者は、本発明の趣旨および範囲から逸脱しない限り、変更および修正を加えることができる。したがって、本発明の保護範囲は、特許保護のために求められる特許請求の範囲に基づくものとする。
【図１】
2019524617.tif 000003
【図２】
2019524617.tif 000004
【図３】
2019524617.tif 000005
【図４】
2019524617.tif 000006
【図５】
2019524617.tif 000007
【手続補正書】
【提出日】平成31年2月28日(2019.2.28)
【手続補正１】
【補正対象書類名】特許請求の範囲
【補正対象項目名】全文
【補正方法】変更
【補正の内容】
【特許請求の範囲】
【請求項１】
塩化水素液体混合物から不純物を分離および処理する方法であって、
前記塩化水素液体混合物を分離のために気液分離カラムに送り、前記気液分離カラムの底部で、塩化アンモニウムを含む不純物を含む液相流を生成する工程；
不純物を含む前記液相流を前記気液分離カラムの底部から液相流管路Ｌ１を通じて中和タンクに流入させ、前記中和タンク中で、不純物を含む前記液相流をアルカリ液で中和して中和液を生成する工程；ならびに
前記中和液を処理のために前記中和タンクから廃液処理装置に送る工程
を含む、方法。
【請求項２】
前記中和タンクが、前記気液分離カラムの下方に配置され、前記中和タンクの圧力が、前記気液分離カラム中の圧力以下である、請求項１に記載の方法。
【請求項３】
前記気液分離カラムと前記中和タンクとの間にバッファタンクをさらに配置することによって、不純物を含む前記液相流が、前記気液分離カラムの底部から前記液相流管路Ｌ１を通って、前記バッファタンクに順次流入し、次いで、前記バッファタンクから液相流管路Ｌ２を通って前記中和タンクに流入する、請求項１に記載の方法。
【請求項４】
前記バッファタンクが、前記気液分離カラムの下方に配置され、前記中和タンクが、前記バッファタンクの下方に配置され、前記バッファタンク中の圧力が、前記気液分離カラム中の圧力以下であり、前記中和タンク中の圧力が、前記バッファタンク中の圧力以下である、請求項３に記載の方法。
【請求項５】
前記バッファタンク中で緩衝された不純物を含む前記液相流の容量が、前記バッファタンクの容量の９０％を超えない、請求項３または４に記載の方法。
【請求項６】
不純物を含む前記液相流が前記液相流管路を通って流れた後、前記液相流管路が、不活性ガスでパージされる、請求項１〜４のいずれか一項に記載の方法。
【請求項７】
前記中和液のｐＨ値が８以上である、請求項１〜４のいずれか一項に記載の方法。
【請求項８】
前記方法が、ホスゲン化によりイソシアネートを調製するためのプロセスから前記塩化水素液体混合物を得る工程をさらに含む、請求項１〜４のいずれか一項に記載の方法。
【請求項９】
塩化水素液体混合物から不純物を分離および処理するためのシステムであって、
前記塩化水素液体混合物を受け取りおよび分離して、塩化アンモニウムを含む不純物を含む液相流を生成するための気液分離カラム；
不純物を含む前記液相流を受け取るための中和タンクであって、不純物を含む前記液相流が、前記気液分離カラムの底部から液相流管路Ｌ１を通って前記中和タンクに流入し、不純物を含む前記液相流を前記中和タンク中のアルカリ液で中和して中和液を生成する、中和タンク；ならびに
前記中和タンクからの前記中和液を受け取りおよび処理するための廃液処理装置
を備える、システム。
【請求項１０】
前記中和タンクが、前記気液分離カラムの下方に配置され、前記中和タンクの圧力が、前記気液分離カラム中の圧力以下である、請求項９に記載のシステム。
【請求項１１】
前記気液分離カラムと前記中和タンクとの間に、不純物を含む前記液相流を緩衝するためのバッファタンクがさらに配置され、不純物を含む前記液相流が、前記気液分離カラムから前記中和タンクに流入し、不純物を含む前記液相流が、前記気液分離カラムの底部から前記液相流管路Ｌ１を通って、前記バッファタンクに順次流入し、次いで、前記バッファタンクから液相流管路Ｌ２を通って前記中和タンクに流入する、請求項９に記載のシステム。
【請求項１２】
前記バッファタンクが、前記気液分離カラムの下方に配置され、前記中和タンクが、前記バッファタンクの下方に配置され、前記バッファタンク中の圧力が、前記気液分離カラム中の圧力以下であり、前記中和タンク中の圧力が、前記バッファタンク中の圧力以下である、請求項１１に記載のシステム。
【請求項１３】
不純物を含む前記液相流が前記液相流管路を通って流れた後に、前記液相流管路を不活性ガスでパージするための不活性ガスパージ装置をさらに備える、請求項９〜１２のいずれか一項に記載のシステム。
【請求項１４】
ホスゲン化によりイソシアネートを調製する方法であって、
ホスゲン化反応プロセスからイソシアネート生成物および塩化水素を含むガス混合物を得る工程；
塩化水素を含む前記ガス混合物を処理して塩化水素液体混合物を生成する工程；ならびに
請求項１〜８のいずれか一項に記載の方法に従って前記塩化水素液体混合物を分離および処理する工程
を含む、方法。
【請求項１５】
ホスゲン化によりイソシアネートを調製するためのシステムであって、
ホスゲン化反応を行ってイソシアネート生成物および塩化水素を含むガス混合物を生成するためのホスゲン化反応ユニット；
塩化水素を含む前記ガス混合物を処理して塩化水素液体混合物を生成するための塩化水素含有ガス混合物処理ユニット；ならびに
請求項９〜１３のいずれか一項に記載のシステムに従って前記塩化水素液体混合物を分離および処理するための塩化水素液体混合物分離および処理ユニット
を備える、システム。
【国際調査報告】
2019524617.tif 000008
2019524617.tif 000009
2019524617.tif 000010
2019524617.tif 000011